(57)【要約】【課題】  文字認識される文字からなる文章を適切に特定する。【解決手段】  文字処理システムである端末１０は、入力領域における複数の文字の軌跡を入力する軌跡入力部１１と、入力された軌跡から個々の文字を認識すると共に、入力領域において同一の方向に並んだ１つ以上の当該文字を含む複数の文字列の位置を特定する文字列認識部１２と、位置が特定された文字列間の位置関係に基づいて、当該文字列に含まれる文字によって構成される文章の区切りを判断する文章判断部１３とを備える。【選択図】  図１
2018045377.tif 000002
【特許請求の範囲】
【請求項１】
入力領域における複数の文字の軌跡を入力する軌跡入力部と、
前記軌跡入力部によって入力された軌跡から個々の文字を認識すると共に、前記入力領域において同一の方向に並んだ１つ以上の当該文字を含む複数の文字列の位置を特定する文字列認識部と、
前記文字列認識部によって位置が特定された文字列間の位置関係に基づいて、当該文字列に含まれる文字によって構成される文章の区切りを判断する文章判断部と、
を備える文字処理システム。
【請求項２】
前記文字列認識部は、前記文字列又は当該文字列に含まれる文字の大きさを特定し、
前記文章判断部は、前記文字列認識部によって特定された大きさに応じた、文字列間の位置関係に基づいて、当該文字列に含まれる文字によって構成される文章の区切りを判断する請求項１に記載の文字処理システム。
【請求項３】
前記文字列認識部は、前記文字列に含まれる文字の位置を特定し、
前記文章判断部は、前記文字列認識部によって位置が特定された同一の文字列に含まれる文字間の位置関係に基づいて、当該同一の文字列での文章の区切りを判断する請求項１又は２に記載の文字処理システム。
【請求項４】
前記文章判断部によって判断された区切りに基づく文章を翻訳する翻訳部を更に備える請求項１〜３の何れか一項に記載の文字処理システム。
【請求項５】
コンピュータを、
入力領域における複数の文字の軌跡を入力する軌跡入力部と、
前記軌跡入力部によって入力された軌跡から個々の文字を認識すると共に、前記入力領域において同一の方向に並んだ１つ以上の当該文字を含む複数の文字列の位置を特定する文字列認識部と、
前記文字列認識部によって位置が特定された文字列間の位置関係に基づいて、当該文字列に含まれる文字によって構成される文章の区切りを判断する文章判断部と、
として機能させる文字処理プログラム。
【発明の詳細な説明】
【技術分野】
【０００１】
本発明は、手書き文字等の文字を処理する文字処理システム及び文字処理プログラムに関する。
【背景技術】
【０００２】
従来から、画像に含まれる文字を認識し、認識結果を翻訳する技術が提案されている（例えば、特許文献１参照）。
【先行技術文献】
【特許文献】
【０００３】
【特許文献１】特開２０１０−２３１８１２号公報
【発明の概要】
【発明が解決しようとする課題】
【０００４】
上記のような翻訳を手書き文字に対してリアルタイムに行うことが考えられる。例えば、タッチパネルにおいて、ユーザの手書き文字の入力を受け付けて、当該手書き文字の翻訳結果を表示することが考えられる。通常、翻訳を行うためには、翻訳の単位となる文章を特定する必要がある。そのために例えば、翻訳対象となる文章を入力する毎にユーザがその旨を入力させることが考えられる。しかし、ユーザの操作性を考慮すると自動的に翻訳の単位となる文章が特定されることが望ましい。
【０００５】
翻訳対象となる文章の自動的な特定は、例えば、手書き文字の入力の時間間隔に基づいて行うことが考えられる。具体的には、手書き文字の入力が一定時間（２秒程度）なかった場合に文章を書き終わったと判断し、それまでに入力された文字列を翻訳対象となる文章として特定する。しかし、このような方法では、書いている途中に少し考えて筆を止めた場合、本来文章が書き終わっていないにもかかわらず書き終わったと判断されてしまうおそれがある。また、別文章とすべき文章でも、連続して手書き文字を入力すると、一つの文章とされてしまうおそれがある。その結果、手書き文字のリアルタイムの翻訳が適切になされないこととなってしまう。
【０００６】
本発明は、上記に鑑みてなされたものであり、文字認識される文字からなる文章を適切に特定することができる文字処理システム及び文字処理プログラムを提供することを目的とする。
【課題を解決するための手段】
【０００７】
上記目的を達成するために、本発明に係る文字処理システムは、入力領域における複数の文字の軌跡を入力する軌跡入力部と、前記軌跡入力部によって入力された軌跡から個々の文字を認識すると共に、前記入力領域において同一の方向に並んだ１つ以上の当該文字を含む複数の文字列の位置を特定する文字列認識部と、前記文字列認識部によって位置が特定された文字列間の位置関係に基づいて、当該文字列に含まれる文字によって構成される文章の区切りを判断する文章判断部と、を備える。
【０００８】
本発明に係る文字処理システムでは、文字列間の位置関係に基づいて、当該文字列に含まれる文字によって構成される文章の区切りが判断される。従って、例えば、手書き文字が記載される位置に応じて、翻訳の単位となる文章を適切に判断することができる。即ち、本発明に係る文字処理システムによれば、文字認識される文字からなる文章を適切に特定することができる。
【０００９】
ところで、本発明は、上記のように文字処理システムの発明として記述できる他に、以下のように文字処理プログラムの発明としても記述することができる。これはカテゴリが異なるだけで、実質的に同一の発明であり、同様の作用及び効果を奏する。
即ち、本発明に係る文字処理プログラムは、コンピュータを、入力領域における複数の文字の軌跡を入力する軌跡入力部と、前記軌跡入力部によって入力された軌跡から個々の文字を認識すると共に、前記入力領域において同一の方向に並んだ１つ以上の当該文字を含む複数の文字列の位置を特定する文字列認識部と、前記文字列認識部によって位置が特定された文字列間の位置関係に基づいて、当該文字列に含まれる文字によって構成される文章の区切りを判断する文章判断部と、として機能させる。
【発明の効果】
【００１０】
本発明によれば、文字列間の位置関係に基づいて、当該文字列に含まれる文字によって構成される文章の区切りが判断されるため、文字認識される文字からなる文章を適切に特定することができる。
【図面の簡単な説明】
【００１１】
【図１】本発明の実施形態に係る文字処理システムである端末の構成を示す図である。
【図２】端末において表示される手書き文字及び手書き文字に応じた翻訳結果を示す図である。
【図３】文字認識された手書き文字の行の領域及び四隅の点の座標を示す図である。
【図４】文字及び行の間の位置関係の例を示す図である。
【図５】端末において入力される手書き文字の位置関係の例を示す図である。
【図６】本発明の実施形態に係る文字処理システムである端末で実行される処理全体を示すフローチャートである。
【図７】本発明の実施形態に係る文字処理システムである端末で実行される処理のうち行内の文章判断の処理を示すフローチャートである。
【図８】本発明の実施形態に係る文字処理システムである端末で実行される処理のうち行間の文章判断の処理を示すフローチャートである。
【図９】本発明の実施形態に係る文字処理システムである端末のハードウェア構成を示す図である。
【図１０】本発明の実施形態に係る文字処理プログラムの構成を記録媒体と共に示す図である。
【発明を実施するための形態】
【００１２】
以下、図面と共に本発明に係る文字処理システム及び文字処理プログラムの実施形態について詳細に説明する。なお、図面の説明においては同一要素には同一符号を付し、重複する説明を省略する。
【００１３】
図１に本実施形態に係る文字処理システムである端末１０を示す。端末１０は、ユーザによって使用される装置であり、例えば、タブレット又はスマートフォン等に相当する。端末１０は、ユーザに翻訳の機能を提供する。具体的には、端末１０は、例えば、端末１０が備えるタッチパネルでユーザから手書き文字の入力を受け付ける。端末１０は、入力された手書き文字を認識して、当該手書き文字によって構成される文章を別の言語に翻訳する。端末１０は、翻訳後の文章を、例えば、タッチパネルに表示して出力する。これにより、例えば、筆談によって使用言語が異なる複数の人の間で容易に意思の疎通を図ることができる。
【００１４】
具体的には、図２に示すように、日本語で手書き文字の文章Ｔ１が入力されると、当該手書き文字の文章Ｔ１を英語に翻訳した文章Ｔ２が、手書き文字の文章Ｔ１の下の位置に表示される。
【００１５】
図１に示すように、端末１０は、軌跡入力部１１と、文字列認識部１２と、文章判断部１３と、翻訳部１４とを備えて構成される。なお、端末１０は、本実施形態に係る機能以外にも、タブレット又はスマートフォン等が通常備える機能を備えていてもよい。
【００１６】
軌跡入力部１１は、入力領域における複数の文字の軌跡を入力する機能部である。入力領域（筆記可能領域）は、手書き文字を入力することができる領域である。
【００１７】
軌跡入力部１１は、例えば、タッチパネルを備えて構成されている。軌跡入力部１１がタッチパネルを備える構成では、タッチパネルの接触を検出する領域が入力領域となる。なお、入力領域は、タッチパネルの全体であってもよいし、タッチパネルの一部であってもよい。軌跡入力部１１は、ユーザのタッチパネルに対する手書き文字の入力操作（手書き文字を書く操作）を受け付けることで、入力領域における複数の文字の軌跡を入力する。軌跡入力部１１は、入力した軌跡を示す情報を文字列認識部１２に出力する。例えば、軌跡入力部１１は、タッチパネルの接触が一定時間（例えば、０．数秒〜数秒程度）連続して検出されなかった場合に入力した軌跡を示す情報を文字列認識部１２に出力する。
【００１８】
なお、軌跡入力部１１による文字の軌跡の入力は、必ずしもタッチパネルによって行われる必要はなく、手書き文字の入力操作を行えるデバイスであれば、任意のデバイスが用いられてもよい。例えば、軌跡入力部１１は、マウスによる手書き文字の入力操作を受け付ける構成であってもよい。
【００１９】
文字列認識部１２は、軌跡入力部１１から入力された情報によって示される軌跡から個々の文字を認識すると共に、入力領域において同一の方向に並んだ１つ以上の当該文字を含む複数の文字列の位置を特定する機能部である。また、文字列認識部１２は、文字列に含まれる文字の位置を特定する。また、文字列認識部１２は、文字列及び当該文字列に含まれる文字の大きさを特定する。
【００２０】
入力領域において同一の方向に並んだ１つ以上の文字を含む文字列は、本実施形態では、横方向（Ｘ方向）に文字が並んだ文である行である。具体的には、文字の位置が、一定の縦方向（Ｙ方向）の範囲に入っている１つ以上の文字列を１つの行とする。縦方向の位置が異なれば異なる行となる。例えば、図２（ａ）の例では、「今日は」「いい天気です」「東京から来ました」という３つの行が認識される。なお、上記の文字列における並びの方向（上記の行の場合には、横方向（Ｘ方向））は、予め設定されている。また、本発明においては、文字列は、行ではなく、縦方向に文字が並んだ列であってもよい。
【００２１】
文字列認識部１２は、軌跡入力部１１から入力された情報によって示される軌跡に対して、文字認識を行って個々の文字を特定する。また、文字列認識部１２は、文字認識によって特定された個々の文字の入力領域における位置を特定する。個々の文字の位置は、例えば、文字認識によって個々の文字の領域のタッチパネル上の座標によって特定される。
【００２２】
文字列認識部１２は、個々の文字の位置に基づいて、それらの文字によって構成される行を特定する。個々の行の領域は、例えば、矩形の領域とされる。文字列認識部１２は、図３に示すように当該領域の四隅の点の座標を特定する。また、文字列認識部１２は、各文字の矩形の文字領域の四隅の点の座標を特定する。行の領域及び文字の文字領域の四隅の点の座標は、行及び文字の位置を示す情報であると共に、行及び文字の大きさを示す情報でもある。上記の文字認識及び上記の領域の特定については、従来の技術、例えば、既存のパッケージプログラムであるＭｙＳｃｒｉｐｔによって行うことができる。
【００２３】
文字列認識部１２は、上記の文字認識等の処理を軌跡入力部１１から情報が入力される毎に行う。例えば、ユーザが手書き文字を入力した後、入力した手書き文字を消さずに時間をおいて新たに入力した手書き文字を入力した場合等、軌跡入力部１１から入力された情報による軌跡に過去に入力された軌跡と共通する部分がある場合には、当該共通部分については過去の文字認識等の処理の結果を利用してもよい。
【００２４】
文字列認識部１２は、特定した行それぞれにインデックス（例えば、番号）を付与して、行を順序付けする。例えば、文字列認識部１２は、入力領域における位置が上にある行から順番に特定していき、その順番でインデックスを付与する。また、各行を構成する各文字それぞれにもインデックス（例えば、番号）を付与して、文字を順序付けする。例えば、文字列認識部１２は、入力領域における位置が左にある文字から順番に特定していき、その順番でインデックスを付与する。文字列認識部１２は、上記の処理によって得られた情報を文章判断部１３に出力する。
【００２５】
文章判断部１３は、文字列認識部１２によって認識される文字から文章の区切りを判断（判定）する機能部である。文章の区切りを判断するとは、複数の手書き文字のどこからどこまでが１つの文章を構成しているかを判断するものである。文章判断部１３による判断は、翻訳対象となる（翻訳の単位となる）文章を特定するためのものである。具体的には、行が一つ前の行と同一の文章に属するか否か、及び文字が一つ前の文字と同一の文章に属するか否かを判断することで文章の区切りの判断を行う。
【００２６】
文章判断部１３は、文字列認識部１２によって位置が特定された文字列間の位置関係に基づいて、当該文字列に含まれる文字によって構成される文章の区切りを判断する。文章判断部１３は、文字列認識部によって特定された文字列及び当該文字列に含まれる文字の大きさに応じた、文字列間の位置関係に基づいて、当該文字列に含まれる文字によって構成される文章の区切りを判断する。文章判断部１３は、文字列認識部１２によって位置が特定された同一の文字列に含まれる文字間の位置関係に基づいて、当該同一の文字列での文章の区切りを判断する。上記の位置関係は、例えば、後述するように行及び文字の上下関係及び左右関係である。具体的には、文章判断部１３は、以下のように判断を行う。
【００２７】
文章判断部１３は、まず、各行に含まれる文字間の位置関係に基づいて、当該各行での文章の区切り（行内での文章の区切り）を判断する。文章判断部１３は、各行の最初の文字、即ち、一番左の文字については、文章の区切りの判断を行わない。文章判断部１３は、それ以降の文字について、順番に文章の区切りを判断する。文章判断部１３は、それ以降の文字、即ち、行において右側に続く文字であるｍ番目の文字について、１つ前の文字であるｍ−１番目の文字との間に文章の区切りがあるか否かを判断する。
【００２８】
文章判断部１３は、ｍ番目の文字について、以下のようにｍ−１番目の文字との位置の比較を行う。ｍ番目の文字の文字領域の左下の点、左上の点、右下の点、右上の点についてのＸ座標及びＹ座標をそれぞれ（Ｘ０ｍ，Ｙ０ｍ）、（Ｘ０ｍ，Ｙ１ｍ）、（Ｘ１ｍ，Ｙ０ｍ）、（Ｘ１ｍ，Ｙ１ｍ）とする。また、ｍ−１番目の文字の文字領域の左下の点、左上の点、右下の点、右上の点についてのＸ座標及びＹ座標をそれぞれ（Ｘ０ｍ−１，Ｙ０ｍ−１）、（Ｘ０ｍ−１，Ｙ１ｍ−１）、（Ｘ１ｍ−１，Ｙ０ｍ−１）、（Ｘ１ｍ−１，Ｙ１ｍ−１）とする。
【００２９】
文章判断部１３は、判断対象となる文字を含む行の各文字幅（Ｘ方向の幅）の平均値Ｗを算出する。文章判断部１３は、ｍ番目の文字とｍ−１番目の文字とのＸ方向の間隔が閾値である２．５Ｗを超えていれば、ｍ番目の文字とｍ−１番目の文字との間に文章の区切りがある、即ち、ｍ番目の文字とｍ−１番目の文字とは別々の文章を構成すると判断する。この間隔は、例えば、図４（ａ）に示す行において、「こ」がｍ番目の文字であり、「う」がｍ−１番目の文字であるとしたときの「う」と「こ」との間隔Ｇである。そうでなければ、文章判断部１３は、ｍ番目の文字とｍ−１番目の文字との間に文章の区切りがない、即ち、ｍ番目の文字はｍ−１番目の文字に続いて１つの文章を構成すると判断する。
【００３０】
具体的には、文章判断部１３は、２．５Ｗ＜Ｘ０ｍ  −  Ｘ１ｍ−１であるか否かを判断する。２．５Ｗ＜Ｘ０ｍ  −  Ｘ１ｍ−１であると判断したら、文章判断部１３は、ｍ番目の文字とｍ−１番目の文字との間に文章の区切りがあると判断する。２．５Ｗ＜Ｘ０ｍ  −  Ｘ１ｍ−１ではないと判断したら、文章判断部１３は、ｍ番目の文字とｍ−１番目の文字との間に文章の区切りがないと判断する。なお、閾値のパラメータ（上記の例では、２．５）は、判断対象とする手書き文字や判断の精度等に応じて、予めユーザ等によって設定されてもよい。以下の閾値についても同様である。
【００３１】
続いて、文章判断部１３は、各行の間の文章の区切りを判断する。文字列認識部１２によって位置が特定された行が１つであった場合には、文章判断部１３は、上記の判断を行わない。即ち、文章判断部１３は、行が複数ある場合のみ、上記の判断を行う。文章判断部１３は、最初の行、即ち、一番上の行については、文章の区切りの判断を行わない。文章判断部１３は、それ以降の行について、順番に文章の区切りを判断する。文章判断部１３は、それ以降の行、即ち、下側に続く行であるｎ番目の行について、１つ前の行であるｎ−１番目の行との間に文章の区切りがあるか否かを判断する。
【００３２】
文章判断部１３は、ｎ番目の行について、以下のようにｎ−１番目の行との位置の比較を行う。ｎ番目の行の領域の左下の点、左上の点、右下の点、右上の点についてのＸ座標及びＹ座標をそれぞれ（Ｘ０ｎ，Ｙ０ｎ）、（Ｘ０ｎ，Ｙ１ｎ）、（Ｘ１ｎ，Ｙ０ｎ）、（Ｘ１ｎ，Ｙ１ｎ）とする。また、ｎ番目の行の領域の左下の点、左上の点、右下の点、右上の点についてのＸ座標及びＹ座標をそれぞれ（Ｘ０ｎ−１，Ｙ０ｎ−１）、（Ｘ０ｎ−１，Ｙ１ｎ−１）、（Ｘ１ｎ−１，Ｙ０ｎ−１）、（Ｘ１ｎ−１，Ｙ１ｎ−１）とする。
【００３３】
文章判断部１３は、判断対象となる２つの行（ｎ番目及びｎ−１番目の行）の各文字列幅（Ｘ方向の幅）を文字数で割った平均値Ｚを算出する。Ｚは、それぞれの行の文字列幅をそれぞれの文字列の文字数で割った２つの値の平均値としてもよいし、２つの行の文字列幅の和を、２つの文字列の文字数の和で割った値としてもよい。
【００３４】
文章判断部１３は、ｎ番目の行の左辺がｎ−１番目の行の左辺よりも左側に２Ｚを超えて離れていれば、ｎ番目の行とｎ−１番目の行との間に文章の区切りがある、即ち、ｎ番目の行とｎ−１番目の行とは別々の文章を構成すると判断する。即ち、ｎ番目の行の左辺と、ｎ−１番目の行の左辺との間のＸ方向の間隔が閾値である２Ｚを超えていれば、ｎ番目の行とｎ−１番目の行との間に文章の区切りがあると判断する。この間隔は、例えば、図４（ｂ）に示す行において、「こんにちは」がｎ番目の行であり、「おはよう」がｎ−１番目の行であるとしたときの「こんにちは」の領域の左辺と「おはよう」の領域の左辺との間隔Ｇである。そうでなければ、文章判断部１３は、ｎ番目の行について、次の判断を行う。
【００３５】
具体的には、文章判断部１３は、２Ｚ＜Ｘ０ｎ−１  −  Ｘ０ｎであるか否かを判断する。２Ｚ＜Ｘ０ｎ−１  −  Ｘ０ｎであると判断したら、文章判断部１３は、ｎ番目の行とｎ−１番目の行との間に文章の区切りがあると判断する。２Ｚ＜Ｘ０ｎ−１  −  Ｘ０ｎではないと判断したら、文章判断部１３は、ｎ番目の行について、次の判断を行う。
【００３６】
続いて、文章判断部１３は、ｎ番目の行の左辺がｎ−１番目の行の右辺よりも右側に２Ｚを超えて離れていれば、ｎ番目の行とｎ−１番目の行との間に文章の区切りがある、即ち、ｎ番目の行とｎ−１番目の行とは別々の文章を構成すると判断する。即ち、ｎ番目の行の左辺と、ｎ−１番目の行の右辺との間のＸ方向の間隔が閾値である２Ｚを超えていれば、ｎ番目の行とｎ−１番目の行との間に文章の区切りがあると判断する。この間隔は、例えば、図４（ｃ）に示す行において、「こんにちは」がｎ番目の行であり、「おはよう」がｎ−１番目の行であるとしたときの「こんにちは」の領域の左辺と「おはよう」の領域の右辺との間隔Ｇである。そうでなければ、文章判断部１３は、ｎ番目の行について、次の判断を行う。
【００３７】
具体的には、文章判断部１３は、２Ｚ＜Ｘ０ｎ  −  Ｘ１ｎ−１であるか否かを判断する。２Ｚ＜Ｘ０ｎ  −  Ｘ１ｎ−１であると判断したら、文章判断部１３は、ｎ番目の行とｎ−１番目の行との間に文章の区切りがあると判断する。２Ｚ＜Ｘ０ｎ  −  Ｘ１ｎ−１ではないと判断したら、文章判断部１３は、ｎ番目の行について、次の判断を行う。
【００３８】
文章判断部１３は、判断対象となる２つの行（ｎ番目及びｎ−１番目の行）の各文字列高さ（Ｙ方向の高さ）の平均値Ｈを算出する。文章判断部１３は、ｎ番目の行の上辺がｎ−１番目の行の下辺よりも下側にＨを超えて離れていれば、ｎ番目の行とｎ−１番目の行との間に文章の区切りがあると判断する。即ち、ｎ番目の行の上辺と、ｎ−１番目の行の底辺との間のＹ方向の間隔が閾値であるＨを超えていれば、ｎ番目の行とｎ−１番目の行との間に文章の区切りがあると判断する。この間隔は、例えば、図４（ｄ）に示す行において、「こんにちは」がｎ番目の行であり、「おはよう」がｎ−１番目の行であるとしたときの「こんにちは」の領域の上辺と「おはよう」の領域の底辺との間隔Ｇである。そうでなければ、文章判断部１３は、ｎ番目の行とｎ−１番目の行との間に文章の区切りがない、即ち、ｎ番目の行はｎ−１番目の行に続いて１つの文章を構成すると判断する。
【００３９】
具体的には、文章判断部１３は、Ｈ＜｜Ｙ１ｎ  −  Ｙ０ｎ−１｜であるか否かを判断する。Ｈ＜｜Ｙ１ｎ  −  Ｙ０ｎ−１｜であると判断したら、文章判断部１３は、ｎ番目の行とｎ−１番目の行との間に文章の区切りがあると判断する。Ｈ＜｜Ｙ１ｎ  −  Ｙ０ｎ−１｜ではないと判断したら、文章判断部１３は、ｎ番目の行とｎ−１番目の行との間に文章の区切りがないと判断する。
【００４０】
なお、判断対象となっているｎ番目の行において、行内に文章の区切りがあると判断された場合には、区切りの前後の文字列をそれぞれ一つの文字列（行）として、ｎ−１番目の行との文章の区切りの判断を行う。また、ｎ−１番目の行において、行内に文章の区切りがあると判断された場合には、区切りの前後の文字列をそれぞれ一つの文字列（行）として、ｎ番目の行との文章の区切りの判断を行う。
【００４１】
このような判断を行うことで適切な判断を行うことができる。例えば、「今日はとても暑いです」「東京」という２つの文章が含まれる図５に示す例において、上記の行内の区切りに応じた、行間の区切りの判断を行わないとすると「今日はとても」「東京暑いです」と不適切な文章認識が行われてしまう。
【００４２】
また、行間の区切りの判断は、必ずしも上述した順番で行う必要はなく、順番を変えて判断してもよい。
【００４３】
文章判断部１３は、文章の区切りを判断すると、１つの文章を構成すると判断された文字列を行の順番に繋げて、１つの文章を生成する。文章判断部１３は、生成した１つの文章である文字列を翻訳対象の文章として翻訳部１４に出力する。
【００４４】
翻訳部１４は、文章判断部１３によって判断された区切りに基づく文章、即ち、文章判断部１３によって１つの文章と判断された文字列を翻訳する機能部である。翻訳部１４は、例えば、入力した文章を予め設定された翻訳前の言語から翻訳後の言語への翻訳を行う。翻訳部１４による翻訳は、従来の機械翻訳の技術によって行うことができる。
【００４５】
翻訳部１４は、翻訳後の文章を出力する。翻訳後の文章の出力は、例えば、端末１０が備えるタッチパネルにおいて、手書き文字が書かれた部分以外の部分、例えば、図２に示すように、手書き文字が書かれた部分の下の部分に当該文章を表示することで行われる。あるいは、翻訳部１４は、翻訳後の文章を音声出力することとしてもよい。以上が、本実施形態に係る端末１０の機能構成である。
【００４６】
引き続いて、図６〜図８のフローチャートを用いて、端末１０で実行される処理を説明する。ユーザによって端末１０に対して手書き文字の入力操作（例えば、タッチパネルに手書き文字を書く操作）が行われると、端末１０では、軌跡入力部１１によって、当該入力操作が受け付けられて、文字の軌跡が入力される（Ｓ０１）。軌跡の情報は、軌跡入力部１１から文字列認識部１２に出力される。続いて、文字列認識部１２によって、軌跡の情報から文字認識、及び同一の方向に並んだ認識された文字を含む行の位置の特定等が行われる（Ｓ０２）。文字列認識部１２による処理によって得られた情報は、文字列認識部１２から文章判断部１３に出力される。
【００４７】
続いて、文章判断部１３によって、行内の文章判断、即ち、行内に文章の区切りがあるか否かが判断される（Ｓ０３）。続いて、文章判断部１３によって、行間の文章判断、即ち、行と行との間に文章の区切りがあるか否かが判断される（Ｓ０４）。なお、行間の文章判断は、上述したように文字列認識部１２によって位置が特定された行が複数ある場合のみに行われる。行内の文章判断（Ｓ０３）及び行間の文章判断（Ｓ０４）については、図７及び図８のフローチャートを用いて詳細に説明する。
【００４８】
文章の区切りが判断されると、１つの文章と判断された文字列が翻訳対象の文章として、文章判断部１３から翻訳部１４に出力される。続いて、翻訳部１４によって当該文章が翻訳される（Ｓ０５）。続いて、翻訳部１４によって、翻訳された文章の出力が行われる（Ｓ０６）。以上が、端末１０で実行される処理全体である。
【００４９】
続いて、文章判断部１３による行内の文章判断（Ｓ０３）の処理の詳細を図７のフローチャートを用いて説明する。本処理は、各行の２番目の文字から最後の文字まで順番に行われる。図７のフローチャートは、一つの文字についての判断を示すものである。
【００５０】
本処理では、文字列認識部１２から入力された情報から、ｍ番目の文字の領域の座標が呼び出される（Ｓ３１）。続いて、ｍ−１番目の文字の領域の座標が呼び出される（Ｓ３２）。続いて、これらの座標に基づいて、２．５Ｗ＜Ｘ０ｍ  −  Ｘ１ｍ−１であるか否か、即ち、ｍ番目の文字とｍ−１番目の文字とのＸ方向の間隔が２．５Ｗを超えているかが判断される（Ｓ３３）。なお、本処理に先立って、（Ｓ０３の処理の一つとして）判断対象となる文字を含む行の各文字幅（Ｘ方向の幅）の平均値Ｗが算出されている。
【００５１】
２．５Ｗ＜Ｘ０ｍ  −  Ｘ１ｍ−１であると判断されたら（Ｓ３３のＹＥＳ）、ｍ番目の文字とｍ−１番目の文字との間に文章の区切りがある、即ち、ｍ番目の文字とｍ−１番目の文字とは別々の文章を構成すると判断される（Ｓ３４）。一方で、２．５Ｗ＜Ｘ０ｍ  −  Ｘ１ｍ−１でないと判断されたら（Ｓ３３のＮＯ）、ｍ番目の文字とｍ−１番目の文字との間に文章の区切りがない、即ち、ｍ番目の文字はｍ−１番目の文字に続いて１つの文章を構成すると判断される（Ｓ３５）。以上が、行内の文章判断（Ｓ０３）の詳細である。
【００５２】
続いて、行間の文章判断（Ｓ０４）の詳細を図８のフローチャートを用いて説明する。本処理は、２番目の行から最後の行まで順番に行われる。図８のフローチャートは、一つの行についての判断を示すものである。
【００５３】
本処理では、文字列認識部１２から入力された情報から、ｎ番目の行の領域の座標が呼び出される（Ｓ４１）。続いて、ｎ−１番目の行の領域の座標が呼び出される（Ｓ４２）。続いて、これらの座標に基づいて、上記の２つの行の各文字列幅（Ｘ方向の幅）の平均値Ｚが算出される（Ｓ４３）。続いて、これらの座標及び算出されたＺに基づいて、２Ｚ＜Ｘ０ｎ−１  −  Ｘ０ｎであるか否か、即ち、ｎ番目の行の左辺がｎ−１番目の行の左辺よりも左側に２Ｚを超えて離れているか否かが判断される（Ｓ４４）。
【００５４】
２Ｚ＜Ｘ０ｎ−１  −  Ｘ０ｎであると判断されたら（Ｓ４４のＹＥＳ）、ｎ番目の行とｎ−１番目の行との間に文章の区切りがある、即ち、ｎ番目の行とｎ−１番目の行とは別々の文章を構成すると判断される（Ｓ４５）。一方で、２Ｚ＜Ｘ０ｎ−１  −  Ｘ０ｎでないと判断されたら（Ｓ４４のＮＯ）、続いて、２Ｚ＜Ｘ０ｎ  −  Ｘ１ｎ−１であるか否か、即ち、ｎ番目の行の左辺がｎ−１番目の行の右辺よりも右側に２Ｚを超えて離れているか否かが判断される（Ｓ４６）。
【００５５】
２Ｚ＜Ｘ０ｎ  −  Ｘ１ｎ−１であると判断されたら（Ｓ４６のＹＥＳ）、ｎ番目の行とｎ−１番目の行との間に文章の区切りがある、即ち、ｎ番目の行とｎ−１番目の行とは別々の文章を構成すると判断される（Ｓ４５）。２Ｚ＜Ｘ０ｎ  −  Ｘ１ｎ−１でないと判断されたら（Ｓ４６のＮＯ）、続いて、上記の２つの行の各文字列高さ（Ｙ方向の高さ）の平均値Ｈが算出される（Ｓ４７）。続いて、Ｈ＜｜Ｙ１ｎ  −  Ｙ０ｎ−１｜であるか否か、即ち、ｎ番目の行の上辺がｎ−１番目の行の下辺よりも下側にＨを超えて離れているか否かが判断される（Ｓ４８）。
【００５６】
Ｈ＜｜Ｙ１ｎ  −  Ｙ０ｎ−１｜であると判断されたら（Ｓ４８のＹＥＳ）、ｎ番目の行とｎ−１番目の行との間に文章の区切りがある、即ち、ｎ番目の行とｎ−１番目の行とは別々の文章を構成すると判断される（Ｓ４５）。Ｈ＜｜Ｙ１ｎ  −  Ｙ０ｎ−１｜でないと判断されたら（Ｓ４８のＮＯ）、ｎ番目の行とｎ−１番目の行との間に文章の区切りがない、即ち、ｎ番目の行はｎ−１番目の行に続いて１つの文章を構成すると判断される（Ｓ４９）。以上が、行間の文章判断（Ｓ０４）の詳細である。
【００５７】
上述したように本実施形態では、文字列間の位置関係に基づいて、当該文字列に含まれる文字によって構成される文章の区切りが判断される。従って、例えば、手書き文字が記載される位置に応じて、翻訳の単位となる文章を適切に判断することができる。即ち、本実施形態によれば、文字認識される文字からなる文章を適切に特定することができる。
【００５８】
また、本実施形態のように文字列及び文字列に含まれる文字の大きさを用いた判断を行うこととしてもよい。例えば、それらの大きさに応じた値であるＷ、Ｚ、Ｈの値に基づき閾値を用いた判断を行うこととしてもよい。この構成によれば、これらの大きさに応じて文章を適切に特定することができる。なお、文字列及び文字列に含まれる文字の何れか一方のみが用いられてもよい。また、これらの大きさは必ずしも判断に用いられる必要はなく、その場合、例えば、予め設定された閾値を用いることとしてもよい。
【００５９】
また、本実施形態のように行に含まれる個々の文字の位置を用いた判断を行うこととしてもよい。この構成によれば、文字列の中に文章の区切りがあった場合でも文章を適切に特定することができる。なお、文字の位置は、必ずしも入力領域における位置（絶対的な位置）である必要はなく、行内（文字列内）における位置（相対的な位置）であってもよい。また、行内において、文章の区切りがあることが想定されない場合等には、上記の判断を行わないこととしてもよい。
【００６０】
また、本実施形態のように区切りが判断された文章を翻訳する構成を備えていてもよい。この構成によれば、適切に特定した文章に基づいた翻訳まで行うことができる。但し、必ずしも本発明に係る文字処理システムは翻訳する構成を備えている必要はない。また、本発明に係る文字処理システムは、必ずしも翻訳を前提とする必要はなく、適切な文章の区切りが必要となる任意のものに適用することができる。
【００６１】
また、本実施形態では、端末１０が文字認識及び翻訳を行う構成を有していることとしたが、必ずしも１つの装置において文字認識及び翻訳が行われる必要はなく、手書き文字を入力する装置と文字認識又は翻訳を行う装置とが別構成となっていてもよい。この場合、当該複数の装置によって本発明に係る文字処理システムが構成される。
【００６２】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００６３】
例えば、本発明の一実施の形態における端末１０などは、本実施形態の端末１０の処理を行うコンピュータとして機能してもよい。図９は、本実施形態に係る端末１０のハードウェア構成の一例を示す図である。上述の端末１０は、物理的には、プロセッサ１００１、メモリ１００２、ストレージ１００３、通信装置１００４、入力装置１００５、出力装置１００６、バス１００７などを含むコンピュータ装置として構成されてもよい。
【００６４】
なお、以下の説明では、「装置」という文言は、回路、デバイス、ユニットなどに読み替えることができる。端末１０のハードウェア構成は、図に示した各装置を１つ又は複数含むように構成されてもよいし、一部の装置を含まずに構成されてもよい。
【００６５】
端末１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００６６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、端末１０の各機能部は、プロセッサ１００１で実現されてもよい。
【００６７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、端末１０の各機能部は、メモリ１００２に格納され、プロセッサ１００１で動作するプログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００６９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００７１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７２】
また、プロセッサ１００１やメモリ１００２などの各装置は、情報を通信するためのバス１００７で接続される。バス１００７は、単一のバスで構成されてもよいし、装置間で異なるバスで構成されてもよい。
【００７３】
また、端末１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７４】
引き続いて、上述した一連の端末１０による処理をコンピュータに実行させるための文字処理プログラムを説明する。図１０に示すように、文字処理プログラム３０は、コンピュータに挿入されてアクセスされる、あるいはコンピュータが備える記録媒体２０に形成されたプログラム格納領域２１内に格納される。
【００７５】
文字処理プログラム３０は、軌跡入力モジュール３１と、文字列認識モジュール３２と、文章判断モジュール３３と、翻訳モジュール３４とを備えて構成される。軌跡入力モジュール３１と、文字列認識モジュール３２と、文章判断モジュール３３と、翻訳モジュール３４とを実行させることにより実現される機能は、上述した端末１０の軌跡入力部１１と、文字列認識部１２と、文章判断部１３と、翻訳部１４との各機能とそれぞれ同様である。
【００７６】
なお、文字処理プログラム３０は、その一部又は全部が、通信回線等の伝送媒体を介して伝送され、他の機器により受信されて記録（インストールを含む）される構成としてもよい。また、文字処理プログラム３０の各モジュールは、１つのコンピュータでなく、複数のコンピュータのいずれかにインストールされてもよい。その場合、当該複数のコンピュータによるコンピュータシステムよって上述した一連の文字処理プログラム３０の処理が行われる。
【００７７】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００７８】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７９】
情報等は、上位レイヤ(または下位レイヤ)から下位レイヤ(または上位レイヤ)へ出力され得る。複数のネットワークノードを介して入出力されてもよい。
【００８０】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８１】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８６】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００８７】
本明細書で使用する「システム」および「ネットワーク」という用語は、互換的に使用される。
【００８８】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００８９】
移動通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９０】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９１】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００９２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９３】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９４】
「含む（include）」、「含んでいる（comprising）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。本明細書において、文脈または技術的に明らかに1つのみしか存在しない装置である場合以外は、複数の装置をも含むものとする。
【００９５】
本開示の全体において、文脈から明らかに単数を示したものではなければ、複数のものを含むものとする。
【符号の説明】
【００９６】
１０…端末、１１…軌跡入力部、１２…文字列認識部、１３…文章判断部、１４…翻訳部、１００１…プロセッサ、１００２…メモリ、１００３…ストレージ、１００４…通信装置、１００５…入力装置、１００６…出力装置、１００７…バス、２０…記録媒体、２１…プログラム格納領域、３０…文字処理プログラム、３１…軌跡入力モジュール、３２…文字列認識モジュール、３３…文章判断モジュール、３４…翻訳モジュール。
【図１】
2018045377.tif 000003
【図２】
2018045377.tif 000004
【図３】
2018045377.tif 000005
【図４】
2018045377.tif 000006
【図５】
2018045377.tif 000007
【図６】
2018045377.tif 000008
【図７】
2018045377.tif 000009
【図８】
2018045377.tif 000010
【図９】
2018045377.tif 000011
【図１０】
2018045377.tif 000012